(57)【特許請求の範囲】
【請求項１】
携帯電話機を入れることで、携帯電話基地局からの電波を遮り前記携帯電話機が着信することを防ぐ携帯電話機用収納袋において、
蒸着によって樹脂にアルミの膜を形成したアルミ蒸着樹脂、又はアルミ箔を樹脂に貼り付けたアルミ張り付け樹脂から成り、縁部が熱溶着された内袋と、前記内袋を覆うと共に、アルミニウム蒸着樹脂、又はアルミニウム張り付け樹脂のうち前記内袋と異なるものから成り、縁部が熱溶着された外袋とから構成されたことを特徴とする携帯電話機用収納袋。
【発明の詳細な説明】
【技術分野】
【０００１】
本発明は、携帯電話基地局からの電波を遮り携帯電話機が着信することを防ぐ携帯電話機用収納袋に関する
【背景技術】
【０００２】
携帯電話機が広く普及した昨今、劇場、映画館、美術館、レストラン、コンサート会場、受験会場などのように一定の場内雰囲気を保つために、携帯電話機の使用を阻止するものが必要とされており、この種のものとして従来、携帯電話機を収納可能な袋本体を設け、この袋本体に入れた携帯電話機が発生する電磁波を遮断する電磁波シールド部材を設けたもの（例えば、特許文献１参照）や、携帯電話機の電磁波を遮断する機能を持った布を使用して作った収納袋に携帯電話機を入れて圏外状態とするものが提案されている（例えば、特許文献２参照）。
【先行技術文献】
【特許文献】
【０００３】
【特許文献１】特開平１０−２３９１３号公報
【特許文献２】実用新案登録３１３９３４０号
【発明の概要】
【発明が解決しようとする課題】
【０００４】
しかしながら、前述した従来の前者のものでは、袋本体に電磁波を遮断する電磁波シールド部材を設けるものであり、携帯電話機が発生する電磁波を遮断する点で効果的であるものの、コストが掛かるという課題があった。また、後者のものでは、携帯電話機の電波を遮断する機能を持った布を用いて携帯電話機用収納袋を作成するとしているが、実際にどのような素材で携帯電話機用収納袋を作成するかについては言及されていなかった。
【０００５】
本発明は、前述した従来技術における実状からなされたもので、その目的は、低コストで携帯電話基地局からの電波を確実に遮り携帯電話機が着信することを防ぐことのできる携帯電話機用収納袋を提供することにある。
【課題を解決するための手段】
【０００６】
前記目的を達成するために、本発明は、携帯電話機を入れることで、携帯電話基地局からの電波を遮り前記携帯電話機が着信することを防ぐ携帯電話機用収納袋において、蒸着によって樹脂にアルミの膜を形成したアルミ蒸着樹脂、又はアルミ箔を樹脂に貼り付けたアルミ張り付け樹脂から成り、縁部が熱溶着された内袋と、前記内袋を覆うと共に、アルミニウム蒸着樹脂、又はアルミニウム張り付け樹脂のうち前記内袋と異なるものから成り、縁部が熱溶着された外袋とから構成されたことを特徴とする。
【０００７】
このように構成した本発明では、アルミ蒸着樹脂、又はアルミ張り付け樹脂から成る内袋を、アルミニウム蒸着樹脂、又はアルミニウム張り付け樹脂のうち内袋と異なるものから成る外袋で覆い、この二重の袋に携帯電話装置を入れることにより、携帯電話基地局からの電波を携帯電話機が着信することを確実に防ぐ。なお、アルミニウム蒸着樹脂およびアルミニウム張り付け樹脂は一般的なものであり、これらを流用できることから、低コストで内袋および外袋を作成することができる。
【発明の効果】
【００１０】
本発明によれば、一般的なアルミニウム蒸着樹脂およびアルミニウム張り付け樹脂を用いて作成した二重の袋に携帯電話機を入れるという簡易な方法で、携帯電話基地局からの電波を携帯電話機が着信することを確実に防ぐことができ、これによって、安価な携帯電話機用収納袋を実現できる。
【図面の簡単な説明】
【００１１】
【図１】本発明に係る携帯電話機用収納袋の一実施例を示す内袋の斜視図である。
【図２】本実施例における外袋の斜視図である。
【図３】本実施例における携帯電話機用収納袋の使用方法を示す説明図である。
【図４】電波着信阻止の評価結果を示す説明図である。
【発明を実施するための形態】
【００１２】
以下、本発明に係る携帯電話機用収納袋の実施例を図に基づき説明する。
【００１３】
本実施例の携帯電話機用収納袋１は、図１に示すように、蒸着によって樹脂にアルミの膜を形成したアルミ蒸着樹脂から成る内袋２と、図２に示すように、アルミ箔を樹脂に貼り付けたアルミ張り付け樹脂から成り、内袋２を覆う外袋３とを備えている。
【００１４】
内袋２は、アルミ蒸着樹脂を重ねその縁部２ａが熱溶着され、携帯電話機４を収納可能な袋状となっているとともに、その開口部には開閉可能なチャック５が設けられている。このアルミ蒸着した樹脂袋により、携帯電話を入れチャックを閉じると２GHｚ帯の電波が遮断される。
【００１５】
外袋３は、アルミ張り付け樹脂を重ねその縁部３aが熱溶着され、内袋２を収納可能な袋状となっているとともに、その開口部には開閉可能なチャック６が設けられている。このアルミを樹脂に貼り付けた袋に入れてチャックを閉じる事により８００MHｚ帯の電波が遮断される。
【００１６】
本実施例にあっては、例えば、会場の出入口で利用者に携帯電話機用収納袋１を渡し、図３に示すように、利用者は自分の携帯電話機４を、先ず内袋２に入れてチャック５を閉じて密閉状態とする。次いで、内袋２を外袋３に入れてチャック６を閉じて密閉状態とし、この状態で会場に入る。これにより、携帯電話基地局からの電波を携帯電話機４が着信することを強制的に阻止し、会場内にて携帯電話機４の着信音が鳴るといった事態を防ぐ。
【００１７】
ここで、図４を用いて電波着信阻止の評価結果を説明する。
【００１８】
内袋および外袋をそれぞれアルミ厚７μのアルミ張り付け樹脂で作成したもの（Ｎｏ１）、内袋および外袋をそれぞれアルミ厚１１μのアルミ張り付け樹脂で作成したもの（Ｎｏ２）、内袋と外袋の一方をアルミ厚７μのアルミ張り付け樹脂、内袋と外袋の他方をアルミ厚１１μのアルミ張り付け樹脂で作成したもの（Ｎｏ３）、アルミ蒸着樹脂で１つの袋のみとしたもの（Ｎｏ４）、内袋および外袋をそれぞれアルミ蒸着樹脂で作成したもの（Ｎｏ５）はいずれも携帯電話基地局からの電波を阻止することができなかった。一方、内袋をアルミ張り付け樹脂、外袋をアルミ蒸着樹脂で作成したもの（Ｎｏ６）、内袋をアルミ蒸着樹脂、外袋をアルミ張り付け樹脂で作成したもの（Ｎｏ７）はいずれも携帯電話基地局からの電波を阻止することができた。
【００１９】
本実施例によれば、一般的なアルミニウム蒸着樹脂およびアルミニウム張り付け樹脂を用いて作成した二重の袋に携帯電話機を入れるという簡易な方法で、携帯電話基地局からの電波を携帯電話機が着信することを確実に防ぐことができ、これによって、安価な携帯電話機用収納袋を実現できる。
【００２０】
なお、前述した実施例では、内袋２をアルミ蒸着樹脂により、外袋３をアルミ張り付け樹脂により作成した例を示したが、本発明はこれに限らず、内袋２をアルミ張り付け樹脂により、外袋３をアルミ蒸着樹脂により作成しても同様の効果を得ることができることは前述の評価結果から明らかなとおりである。また、内袋２および外袋３を別体としたが、内袋２および外袋３を一体形成することも可能である。
【符号の説明】
【００２１】
１  携帯電話機用収納袋
２  内袋
３  外袋
４  携帯電話機
５、６  チャック
【図１】
0005930687.tif 000002
【図２】
0005930687.tif 000003
【図３】
0005930687.tif 000004
【図４】
0005930687.tif 000005